【手続補正書】
【提出日】平成17年8月15日(2005.8.15)
【手続補正１】
【補正対象書類名】明細書
【補正対象項目名】特許請求の範囲
【補正方法】変更
【補正の内容】
【特許請求の範囲】
【請求項１】  あるエリアにわたって通信カバレージを与えるように構成された通信システムであって、上記カバレージエリアより小さいエリアに対して少なくとも１つのパラメータ及び／又はコンフィギュレーション設定を各々制御する複数の第１手段と、これら複数の第１手段のうちの複数から情報を受け取り、そしてそれら複数の第１手段の上記複数のうちの少なくとも１つに関連したエリアに対して少なくとも１つのパラメータ及び／又はコンフィギュレーション設定を制御する第２手段とを備えた通信システム。
【請求項２】  上記システムは、上記第１手段が上記少なくとも１つのパラメータ及び／又はコンフィギュレーション設定を制御するように構成された第１動作モードと、上記第２手段が上記パラメータ及び／又はコンフィギュレーション設定を制御するように構成された第２モードとを有する請求項１に記載のシステム。
【請求項３】  上記第２モードは、上記第１手段の１つにより制御される少なくとも１つのエリアの状態が、上記第１手段の別のものにより制御されるエリアの少なくとも１つのパラメータ及び／又はコンフィギュレーション設定に影響する場合だけ使用される請求項２に記載のシステム。
【請求項４】  上記第１手段の少なくとも２つに関連したエリアが少なくとも部分的に重畳する請求項１ないし３のいずれかに記載のシステム。
【請求項５】  上記第２手段は、１つのネットワーク要素に設けられる請求項１ないし４のいずれかに記載のシステム。
【請求項６】  上記第２手段は、複数のネットワーク要素に設けられる請求項１ないし４のいずれかに記載のシステム。
【請求項７】  上記第２手段及び第１手段は、同じネットワーク要素に設けられる請求項６に記載のシステム。
【請求項８】  複数の異なるアクセスシステムが設けられ、その各々に複数の上記第１手段が設けられる請求項１ないし７のいずれかに記載のシステム。
【請求項９】  上記第２手段は、その第２手段が、上記アクセスシステムの１つだけに関連された上記複数の第１手段のうちの複数から情報を受け取るように構成された第１動作モードと、その第２手段が、上記アクセスシステムの複数に関連された上記複数の第１手段のうちの複数から情報を受け取るように構成された第２動作モードとを有する請求項８に記載のシステム。
【請求項１０】  上記複数の異なるアクセスシステムによりカバーされるエリアは、少なくとも部分的に同じである請求項８又は９の記載のシステム。
【請求項１１】  上記複数の異なるアクセスシステムによりカバーされるエリアは、異なる請求項８又は９の記載のシステム。
【請求項１２】  上記システムは、セルラーシステムより成る請求項１ないし１１のいずれかに記載のシステム。
【請求項１３】  上記第１手段は、少なくとも１つのセルパラメータに関連した情報を与えるように構成される請求項１２に記載のシステム。
【請求項１４】  上記少なくとも１つのセルパラメータは、セルリソースの状態、サーバー状態、セル負荷、セル性能、使用可能なサービスクオリティ、の少なくとも１つを含む請求項１３に記載のシステム。
【請求項１５】  上記第１手段は、少なくとも１つのユーザパラメータに関連した情報を与えるように構成される請求項１２ないし１４のいずれか１つに記載のシステム。
【請求項１６】  上記少なくとも１つのユーザパラメータは、候補セルのリスト、ユーザによって要求された少なくとも１つのサービスクオリティパラメータ、ユーザにより行われた測定、ユーザに関連したパラメータ、及びユーザのクラスマークを含む請求項１５に記載のシステム。
【請求項１７】  上記第２手段は、少なくとも１つのコンフィギュレーション及び／又は性能パラメータを受け取るように構成される請求項１２ないし１６のいずれかに記載のシステム。
【請求項１８】  上記少なくとも１つのコンフィギュレーション及び／又は性能パラメータはデータベースから受け取られる請求項１７に記載のシステム。
【請求項１９】  上記第２手段は、次のパラメータ及び／又はコンフィギュレーション設定、即ちユーザが指定されるか又はハンドオフされるセル、アイドルモード、及びセル再選択、の１つ以上を制御するように構成される請求項１２ないし１８のいずれかに記載のシステム。
【請求項２０】  上記第１手段の少なくとも幾つかは、ベースステーションコントローラに設けられる請求項１２ないし１９のいずれかに記載のシステム。
【請求項２１】  上記第１手段の少なくとも幾つかは、無線ネットワークコントローラに設けられる請求項１２ないし２０のいずれかに記載のシステム。
【請求項２２】  上記第２手段により受け取られる情報の少なくとも幾つかは、そこからの要求に応答して受け取られる請求項１２ないし２１のいずれかに記載のシステム。
【請求項２３】  上記第２手段は、更に別の手段から情報を受け取るように構成され、上記更に別の情報は、上記少なくとも１つのパラメータ及び／又はコンフィギュレーション設定を制御するのに使用される請求項１ないし２２のいずれかに記載のシステム。
【請求項２４】  上記コンフィギュレーション設定及び／又はパラメータはリソース割り当てを含む請求項１に記載の通信システム。
【請求項２５】  あるエリアにわたって通信カバレージを与えるように構成された通信システムであって、該システムの一部分に対して少なくとも１つのパラメータ及び／又はコンフィギュレーション設定を各々制御する複数の第１手段と、これら複数の第１手段のうちの複数から情報を受け取り、そしてそれら複数の第１手段の上記複数のうちの少なくとも１つに関連した上記システムの一部分における少なくとも１つのパラメータ及び／又はコンフィギュレーション設定を制御する第２手段とを備えた通信システム。
【請求項２６】  あるエリアにわたって通信カバレージを与えるように構成された通信システムに使用するためのコントローラであって、その通信システムは、上記カバレージエリアより小さいエリアに対して少なくとも１つのパラメータ及び／又はコンフィギュレーション設定を各々制御する複数の第１手段を含むものであり、上記コントローラは、上記複数の第１手段のうちの複数から情報を受け取る手段と、上記複数の第１手段の上記複数のうちの少なくとも１つに関連したエリアに対して少なくとも１つのパラメータ及び／又はコンフィギュレーション設定を制御する手段とを備えたコントローラ。
【請求項２７】  あるエリアにわたって通信カバレージを与えるように構成された通信システムに使用するための方法であって、
上記カバレージエリアより小さいエリアに対して少なくとも１つのパラメータ及び／又はコンフィギュレーション設定を各々制御する複数の第１手段システムから情報を受信し、そして
その受信した情報に基づいて上記複数の第１手段の少なくとも１つに関連したエリアにおける少なくとも１つのパラメータ及び／又はコンフィギュレーション設定を制御する、
という段階を備えた方法。
【請求項２８】  上記情報は、使用可能な容量及び提供できるサービスクオリティの１つ以上に関する情報を含む請求項２７に記載の方法。
【請求項２９】  上記パラメータ及び／又はコンフィギュレーション設定は、上記エリアのある部分から別の部分へのユーザのハンドオーバーを含む請求項２７又は２８に記載の方法。
【請求項３０】  上記情報は、ハンドオーバー候補リスト、ユーザにより行われた測定、クラスマーク情報、及びユーザが要求する接続のサービスクオリティパラメータの少なくとも１つを含む請求項２９に記載の方法。
【請求項３１】  上記制御段階においてハンドオーバー候補のリストが上記第１手段の各々に送信される請求項２９及び３０のいずれかに記載の方法。
【請求項３２】  上記制御段階は、アイドルモードユーザ及び／又は上記エリア再選択プロセスの一部分に対してシステムへのアクセスを制御する請求項２７ないし３１のいずれかに記載の方法。
【請求項３３】  上記パラメータ及び／又はコンフィギュレーション設定は、リソース割り当てを含む請求項２７ないし２９のいずれかに記載の方法。
【請求項３４】  上記リソースは、チャンネル割り当てを含む請求項３３に記載の方法。